(57)【特許請求の範囲】
【請求項１】
所定規格を有するレンズを装着するための第１のマウントリングと、撮像装置に装着するための第２のマウントリングと、を有するレンズ用マウントアダプターにおいて、
前記第１のマウントリング及び前記第２のマウントリングの少なくとも一方は、固定装置を取り付けるための嵌合部を有するレンズ用マウントアダプター。
【請求項２】
前記第１のマウントリングが前記嵌合部を有する、請求項１に記載のレンズ用マウントアダプター。
【請求項３】
前記嵌合部は、前記嵌合部を有するマウントリングの外周側面に沿って略均一に形成された嵌合形状を含む請求項１または請求項２に記載のレンズ用マウントアダプター。
【請求項４】
前記嵌合部は、前記嵌合部を有するマウントリングの厚み方向の断面が略Ｖ字型である、請求項３に記載のレンズ用マウントアダプター。
【請求項５】
前記嵌合部を有するマウントリングは金属製である、請求項１ないし請求項４のいずれか一項に記載のレンズ用マウントアダプター。
【請求項６】
前記嵌合部を有するマウントリングは、前記固定装置が嵌合された状態で前記マウントリングに沿って回転することを防止するための切り欠き部を少なくとも一つの有する請求項１ないし請求項５のいずれか一項に記載のレンズ用マウントアダプター。
【発明の詳細な説明】
【技術分野】
【０００１】
本開示は、所定規格を有するレンズを撮像装置に装着するためのレンズ用マウントアダプターに関する。
【背景技術】
【０００２】
様々な撮影シーンに対応するため、レンズが交換可能な撮像装置が存在する。例えば、一眼レフやミラーレスカメラなどが典型的であるが、近年はスマートホン、ジンバルカメラ、ドローンなどに搭載されたカメラに新たなレンズを追加したり、もともと装着されていたレンズを異なるマウント規格を有するレンズに取り替えたりする需要が増えている。このような場合、撮像装置にレンズ用マウントアダプターを使用することにより、レンズを追加したり、異なるマウント規格のレンズを取り付けたりすることができる。
【０００３】
例えば、特許文献１（特許第６３８１７７８号公報）には、レンズ用マウントアダプターを支持体に嵌め込んで固定する機構が開示されている。この機構におけるレンズ用マウントアダプターはロッキングリングを回転させることで、レンズ用マウントアダプターと支持体を固定することができる。
【先行技術文献】
【特許文献】
【０００４】
【特許文献１】特許第６３８１７７８号公報
【発明の概要】
【発明が解決しようとする課題】
【０００５】
特許文献１のレンズ用マウントアダプターは単にロッキングリングに回転させて固定しているだけであり、撮像装置を固定する機構は設けられていない。ところが、レンズ交換可能なジンバルカメラは、重いレンズを取り付けたときなどにジンバルの動きを固定させて撮影したい場合や、軽いレンズを取り付けてジンバルを固定せずにスタビライザーとして使用して撮影したい場合があるため、いずれの場合にも適用できる汎用性の高い固定機構が求められる。そしてユーザの持ち運びの便宜性やジンバルへの負担を軽減させるために、なるべく軽量な機構を必要とし、特にドローンなど飛行体に使用するときは軽量化により省エネにも大きく貢献する。
【０００６】
そこで、本開示は、以上の課題を鑑みて、固定装置に容易且つ安定して取り付け可能な軽量且つ汎用性の高いレンズ用マウントアダプターを提供する。
【課題を解決するための手段】
【０００７】
一態様において、所定規格を有するレンズを装着するための第１のマウントリングと、撮像装置に装着するための第２のマウントリングと、を有するレンズ用マウントアダプターにおいて、第１のマウントリング及び第２のマウントリングの少なくとも一方は、固定装置を取り付けるための嵌合部を有する。
【０００８】
第１のマウントリングが前記嵌合部を有してよい。
【０００９】
嵌合部は、嵌合部を有するマウントリングの外周側面に沿って略均一に形成された嵌合形状を含んでよい。
【００１０】
嵌合部は、嵌合部を有するマウントリングの厚み方向の断面が略Ｖ字型であってよい。
【００１１】
嵌合部を有するマウントリングは金属製であってよい。
【００１２】
嵌合部を有するマウントリングは、固定装置が嵌合された状態でマウントリングに沿って回転することを防止するための切り欠き部を少なくとも一つの有してよい。
【００１３】
本開示におけるレンズ用マウントアダプターによれば、頑丈なマウントリングに嵌合部を設けることにより、固定装置を容易且つ安定して取り付けることができる。また、当該固定装置は使用しないときは取り外しが容易であるため、軽量且つ汎用性の高い。
【００１４】
なお、上記の発明の概要は、本開示の特徴の全てを列挙したものではない。また、これらの特徴群のサブコンビネーションもまた、発明となりうる。
【図面の簡単な説明】
【００１５】
【図１】本開示におけるレンズ用マウントアダプターを示す斜視図である。
【図２】本開示におけるレンズ用マウントアダプターを示す斜視図である。
【図３】アームが閉じた状態の固定装置を示す斜視図である。
【図４】アームが閉じた状態の固定装置を示す斜視図である。
【図５】アームが開いた状態の固定装置を示す斜視図である。
【図６】固定装置が取り付けられた状態のレンズ用マウントアダプターを示す斜視図である。
【図７】（ａ）〜（ｃ）固定装置が取り付けられた状態の本開示におけるレンズ用マウントアダプターの第１のマウントリングの断面図である。
【発明を実施するための形態】
【００１６】
以下、発明の実施の形態を通じて本開示を説明するが、以下の実施の形態は特許請求の範囲に係る発明を限定するものではない。実施の形態の中で説明されている特徴の組み合わせの全てが発明の解決手段に必須とは限らない。
【００１７】
特許請求の範囲、明細書、図面、及び要約書には、著作権による保護の対象となる事項が含まれる。著作権者は、これらの書類の何人による複製に対しても、特許庁のファイル又はレコードに表示される通りであれば異議を唱えない。但し、それ以外の場合、一切の著作権を留保する。
【００１８】
本開示に係るレンズ用マウントアダプターは、異なる規格の交換レンズを撮像装置に取り付けるための機材であり、撮像装置は例えば一眼レフカメラ、ミラーレスカメラ、スマートホン、タブレット端末、ジンバルカメラ、ドローンなどのいかなる撮影機能を有する装置であってよい。
【００１９】
図１及び図２は、異なる角度から観察した本開示におけるレンズ用マウントアダプター１００の外観の一例を示す図である。図１及び図２に示すように、本開示におけるレンズ用マウントアダプター１００は、所定の規格を有する交換レンズ（不図示）を装着するための第１のマウントリング１１０と撮像装置（不図示）に装着するための第２のマウントリング１２０を備えてよい。
【００２０】
第１のマウントリング１１０は、撮像装置本体のマウント規格と異なる所定のマウント規格を有する交換レンズをレンズ用マウントアダプター１００に装着させることを可能にする。
【００２１】
第２のマウントリング１２０は、撮像装置本体のマウント規格に適合する形状を有し、レンズ用マウントアダプター１００を撮像装置本体に装着させることを可能にする。
【００２２】
したがって、ユーザはレンズ用マウントアダプター１００を介在させることにより、撮像装置本体に自身のマウント規格と異なるマウント規格を有する交換レンズを取り付けることができる。
【００２３】
レンズ用マウントアダプター１００は、第１のマウントリング１１０に交換レンズを装着した状態をロックするための第１のロック機構１３０と、第２のマウントリング１２０に撮像装置本体を装着した状態をロックするための第２のロック機構１４０を備えてよい。
【００２４】
第１のロック機構１３０はボタン式であり、交換レンズを嵌め込んだ状態から一方向に一定角度回転させると、レンズ用マウントアダプター１００と交換レンズをロックする。第１のマウントリング１１０はマウントピン１１１を有しており、交換レンズが正しく取り付けられると音や振動を発生させてユーザにその状態を認識させる。ユーザは、レンズ用マウントアダプター１００と交換レンズがロックされた状態において、第１のロック機構１３０を押し込むとロックが解放され、交換レンズを上記の方向と反対の方向に回転させることができるようになる。ユーザはロックが解放された状態で交換レンズを上記の方向と逆の方向に一定角度回転させることにより、交換レンズをレンズ用マウントアダプター１００から取り外すことができる。
【００２５】
第２のロック機構１４０にはレバーが設けられており、ユーザはレバーを回転することにより撮像装置にレンズ用マウントアダプター１００を取り付けたり、撮像装置からレンズ用マウントアダプター１００を取り外したりすることができる。
【００２６】
なお、第１のマウントリング１１０は、交換レンズと通信を行うための電気接点１２１を有してよく、交換レンズの情報を撮像装置に伝送し、また撮像装置からの制御信号を交換レンズに伝送することができる。
【００２７】
第１のマウントリング１１０には、後述する固定装置２００を取り付けるための嵌合部１１２が設けられている。嵌合部１１２は、例えば第１のマウントリング１１０の外周側面に沿って略均一に形成された嵌合形状を含んでよい。なお、嵌合形状は例えば第１のマウントリング１１０の厚み方向の断面が略Ｖ字型が好ましいが、本開示はこれに限らず、略Ｕ字型、略Ｗ字型、その他複雑な形状であってよい。また、嵌合部１１２の嵌合形状は溝状に限らず、凸状または溝状と凸状の組み合わせであってもよい。
【００２８】
また、第１のマウントリング１１０、第２のマウントリング１２０は、重い交換レンズの取り付けにも耐えうるように、頑丈な素材で作られていることが好ましい。特に、嵌合部１１２を有する第１のマウントリング１１０はステンレス、アルミなどの金属製が好ましい。
【００２９】
第１のマウントリングには、後述する固定装置２００が嵌合された状態で第１のマウントリングに沿って回転することを防止するための切り欠き部１１３を少なくとも一つの有することが好ましい。さらに好ましくは、切り欠き部１１３（１１３−１、１１３−２）は、撮像装置の縦撮りの角度に対応する位置と横撮りの角度に対応する位置にそれぞれ一つずつ設けられてよい。
【００３０】
上記の本開示におけるレンズ用マウントアダプター１００の具体的な構成は単なる一例であり、本開示の技術的範囲はこれに限定されないことは明らかである。例えば、レンズ用マウントアダプター１００は本開示の技術的思想に反しない他のいかなる要素を含んでもよいし、各要素の具体的な形状、大きさ、位置及び各要素の動き方などは上記と異なってよい。
【００３１】
次に、レンズ用マウントアダプター１００に取り付け可能な固定装置２００の構成について説明する。図３及び図４は異なる角度から観察したアームが閉じた状態の固定装置の外観の一例を示す図である。図５はアームが開いた状態の固定装置の外観の一例を示す図である。図６は固定装置が取り付けられた状態のレンズ用マウントアダプターを示す斜視図である。
【００３２】
固定装置２００は、本体２１０と、アーム２２０とを有する。アーム２２０は、回転部２３０を介して本体２１０に対して回動可能に取り付けられている。本体２１０には、回転可能なねじ２１１が設けられている。アーム２２０は、閉じた状態において本体２１０のねじ２１１の先端が対向する位置に孔２２２が設けられている。本体２１０には、ねじ孔２１２（２１２−１、２１２−２）が設けられており、これにより三脚、雲台その他機材に固定することができる。
【００３３】
固定装置２００の本体２１０及び／またはアーム２２０には、嵌合部２２１（２２１−１、２２１−２、２２１−３）が設けられている。嵌合部２２１はレンズ用マウントアダプター１００の第１のマウントリング１１０に設けられた嵌合部１１２と嵌合する形状を有する。
【００３４】
例えば、第１のマウントリング１１０に設けられた嵌合部１１２の形状が溝状である場合は、固定装置２００の本体２１０及び／またはアーム２２０の嵌合部２２１は凸状となることが好ましい。逆に、第１のマウントリング１１０に設けられた嵌合部１１２の形状が凸状である場合は、固定装置２００の本体２１０及び／またはアーム２２０の嵌合部２２１は溝状となることが好ましい。ただし本開示は上記単純な凸状、溝状にかぎらず、これらの組み合わせその他の形状により嵌合すればよい。
【００３５】
ユーザはレンズ用マウントアダプター１００の第１のマウントリング１１０を固定装置２００の嵌合部２２１に嵌め込み、アーム２２０を閉じてねじ２１１を回転させて締めつけることにより、レンズ用マウントアダプター１００を安定して固定装置２００を取り付けることができる。
【００３６】
図７（ａ）〜（ｃ）はレンズ用マウントアダプター１００に固定装置２００が取り付けられた状態のレンズ用マウントアダプター１００の第１のマウントリングの断面図である。図７（ｂ）は図７（ａ）の７ｂ部分を拡大して示した図、図７（ｃ）は図７（ａ）の７ｃ部分を拡大して示した図である。図７に示すように、第１のマウントリング１１０の嵌合部１１２と固定装置２００の嵌合部２２１が互いに嵌合している。アーム２２０の嵌合部２２１−３、本体２１０の嵌合部２２１−２がそれぞれ第１のマウントリング１１０の嵌合部１１２に嵌合している。嵌合する部分にはわずかな隙間があることが好ましく、これによりレンズ用マウントアダプター１００を固定装置２００にしっかり固定することができる。
【００３７】
そして、固定装置２００はねじ孔２１２により三脚、雲台その他機材に固定することができる。レンズ用マウントアダプター１００を固定することにより、レンズ用マウントアダプター１００に取り付けられている交換レンズないしジンバルを固定することができる。
【００３８】
本開示におけるレンズ用マウントアダプター１００によれば、ユーザが交換レンズやジンバルを固定したいときは固定装置２００を取り付けて使用し、交換レンズやジンバルを可動したいときは固定装置２００を取り外して使用することができる。これにより、汎用性が高まるだけでなく、特に交換レンズやジンバルを可動したいときに軽量化を実現することができる。軽量化により、ユーザの持ち運びの便宜性が向上し、特にジンバルカメラやドローンなどの場合は、ジンバルへの負担を軽減し、省エネに寄与することができる。
【００３９】
また、本開示におけるレンズ用マウントアダプター１００によれば、交換レンズないしジンバルを直接固定する必要がないため、固定時に締め付ける力が強すぎることによって高価な直接交換レンズやデリケートなジンバルが破損するのを防止することができる。
【００４０】
さらに、本開示におけるレンズ用マウントアダプター１００によれば、作りが頑丈な第１のマウントリング１１０に固定装置２００を取り付けるため、大きな力で締め付けることができ、より安定して固定することができるようになる。
【００４１】
なお、本開示では、第１のマウントリング１１０に嵌合部１１２が設けられている場合を例にとって説明するが、嵌合部１１２は第２のマウントリング１２０に設けられてよい。また、嵌合部１１２が第１のマウントリング１１０と第２のマウントリング１２０の両方に設けられてよい。すなわち、嵌合部１１２は第１のマウントリング１１０及び第２のマウントリング１２０の少なくとも一方に設けられてよい。
【００４２】
以上、本開示について実施形態を用いて説明したが、本開示に係る発明の技術的範囲は上述した実施形態に記載の範囲には限定されない。上述した実施形態に、多様な変更又は改良を加えることが当業者に明らかである。その様な変更又は改良を加えた形態も本発明の技術的範囲に含まれ得ることが、特許請求の範囲の記載からも明らかである。
【符号の説明】
【００４３】
１００  レンズ用マウントアダプター
１１０  第１のマウントリング
１１１  マウントピン
１１２  嵌合部
１１３  切り欠き部
１２０  第２のマウントリング
１２１  電気接点
１３０  第１のロック機構
１４０  第２のロック機構
２００  固定装置
２１０  本体
２１１  ねじ
２１２  ねじ孔
２２０  アーム
２２１  嵌合部
２２２  孔
２３０  回転部
【図１】
0006862508.tif 000002
【図２】
0006862508.tif 000003
【図３】
0006862508.tif 000004
【図４】
0006862508.tif 000005
【図５】
0006862508.tif 000006
【図６】
0006862508.tif 000007
【図７】
0006862508.tif 000008